(57)【特許請求の範囲】
【請求項１】
柔軟性を有し、１または複数の開口部が形成された基布と、
柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体と、
該通風体を複数有し、同複数の通風体が、互いに前記複数の通気口のいずれか一つが設けられている側の一部を他の通風体のいずれか一つの通気口に通気が可能な隙間を以て差し込むように配置された通風路とを備える
生地体。
【請求項２】
前記通風路が複数並設された
請求項１に記載の生地体。
【請求項３】
柔軟性を有し、１または複数の開口部が形成された基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体と、該通風体を複数有し、同複数の通風体が、互いに前記複数の通気口のいずれか一つが設けられている側の一部を他の通風体のいずれか一つの通気口に通気が可能な隙間を以て差し込むように配置された通風路とを有する生地体を、構成部の全部または一部に備える
衣類。
【請求項４】
柔軟性を有し、衣類を構成する基布に１または複数の開口部を設ける工程と、
柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体を設ける工程と、
該通風体を複数有し、同複数の通風体が、互いに前記複数の通気口のいずれか一つが設けられている側の一部を他の通風体のいずれか一つの通気口に通気が可能な隙間を以て差し込むように配置された通風路を設ける工程とを備える
衣類の製造方法。
【請求項５】
柔軟性を有し、１または複数の開口部が設けられた基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体を複数有し、同複数の通風体が、互いに前記複数の通気口のいずれか一つが設けられている側の一部を他の通風体のいずれか一つの通気口に通気が可能な隙間を以て差し込むように配置された通風路を有する生地体を形成する工程と、
前記生地体を裁断する工程と、
前記裁断された生地体を縫い合わせて衣類を形成する工程とを備える
衣類の製造方法。
【請求項６】
柔軟性を有し、１または複数の開口部が形成された基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体と、該通風体を複数有し、同複数の通風体が、互いに前記複数の通気口のいずれか一つが設けられている側の一部を他の通風体のいずれか一つの通気口に通気が可能な隙間を以て差し込むように配置された通風路と有する生地体を、構成部の全部または一部に備える
構造体。
【発明の詳細な説明】
【技術分野】
【０００１】
本発明は生地体、この生地体を用いた衣類、その製造方法及びこの生地体を用いた構造体に関する。詳しくは、例えば衣類に用いられる生地体を、換気をしやすい形状に形成することで、衣類の表面及び内部に空気の流れを生じさせ、かつ複数の布を重ね合わせて取り付けることで直射日光による肌へのダメージをやわらげる生地体、この生地体を用いた衣類、その製造方法及びこの生地体を用いた構造体に関するものである。
【背景技術】
【０００２】
衣類は、人間の身体に合わせて作られているため、着用時の快適さが要求され、特に通気性の点において重要視される。例えば、夏期に着用する機会の多いＴシャツやポロシャツなどは、速乾性のある素材だけでなく衣類内部に空気を取り込みやすく、かつ排気しやすい構造のものが求められている。
【０００３】
Ｔシャツやポロシャツなどは、生地自体を通る通気に加え、衿口、両袖口および裾口から通気（換気）を行うようになっているが、着用したときの身体との隙間が比較的小さく、通気効率がよいとはいえない。
【０００４】
その対策として、衿口、両袖口および裾口以外にも通気口を設けたものがあり、その一例として特許文献１のベンチレーション付きポロシャツがある。
【先行技術文献】
【特許文献】
【０００５】
【特許文献１】登実用新案登録第３１０６８１３号公報
【発明の概要】
【発明が解決しようとする課題】
【０００６】
ベンチレーション付きポロシャツは、通気性は改善されている（文献１における主張）けれども、Ｔシャツやポロシャツ自体が直射日光にさらされるため熱を持ち、肩口など熱を持った部分に肌が触れることで、より強い暑さを感じやすい点、また、紫外線が強いと、Ｔシャツやポロシャツの生地を透過しやすく、結局、Ｔシャツやポロシャツで覆われている部分も日焼けをしてしまう点、など、Ｔシャツやポロシャツの従来からある根本的な課題が依然として解消できていない。
【０００７】
このため、長袖の衣類を着るなどして肌の露出を抑えることで日焼けを防いだり、重ね着をすることで直射日光による肌へのダメージを和らげたり、薄い生地あるいはレース状の生地から作られた、ゆったりとした衣類を着用することで衣類の中の空気の流れを起こし、温度が上昇した空気を衣類の外へ出す、という工夫が日常的に行われている。
【０００８】
しかし、長袖の衣類を着用若しくは複数枚の衣類を重ね着すると、日焼けを防ぐことができる代わりに衣類内の空気の温度が上昇し暑さを感じやすく、薄い生地あるいはレース状の生地から作られた衣類を着用すると、衣類の中が透けて見えるため着用することがためらわれる。
【０００９】
また、開口部とメッシュ部は後ろ見頃の襟部分と袖部分のみに設けられているため、衣類内部の空気の流れは、着用者の背中側でのみ生じ、衣類内部全体での空気の流れは生じないため、例えば前身頃部分に含まれている空気の流れは生じにくく、着用者は暑さを感じてしまう。
【００１０】
本発明は、以上の点を鑑みて発明されたものであり、衣類に用いられる生地体を、換気をしやすい形状に形成することで、衣類の表面及び内部に空気の流れを生じさせ、かつ複数の布を重ね合わせて取り付けることで直射日光による肌へのダメージをやわらげる生地体、この生地体を用いた衣類、その製造方法及びこの生地体を用いた構造体を提供することを目的とする。
【課題を解決するための手段】
【００１１】
上記課題を解決するために、本発明の通風体が設けられた生地体は、柔軟性を有し、１または複数の開口部が形成された基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体とを備える。
【００１２】
ここで、柔軟性を有する基布と、柔軟性を有する通風体とによって、風を生地内に取り込みやすくなり、生地体内の空気に流れが生じやすくなる。
【００１３】
また、１または複数の開口部が形成された基布によって、空気が開口部から出入りしやすくなるので、空気の流れが妨げられにくくなる。
【００１４】
また、複数の互いに連通した通気口を有する通風体によって、一方の通気口から通風体内に取り込まれた空気を他方の通気口から放出することができる。
【００１５】
さらに、基布の一部であり前記開口部を含む領域を被覆するように取り付けられる通風体によって、一方の通気口から通風体内に取り込まれた空気を他方の通気口から放出するだけでなく、開口部からも放出することができるので、スムーズな空気の流れを創り出すことができる。
【００１６】
内部に中空部を形成する通風体によって、通風体内に空気を取り込みやすくなる。
【００１７】
中空部が開口部及び通気口と連通した通風体によって、一方の通気口から通風体の中空部に取り込まれた空気は開口部及び他方の通気口から放出されるので、更にスムーズな空気の流れを創り出すことができる。
【００１８】
前記通風体を複数有し、同複数の通風体が、互いに前記複数の通気口のいずれか一つが設けられている側の一部を他の通風体のいずれか一つの通気口に通気が可能な隙間を以て差し込むように配置されて通風路が設けられた場合には、通風体内に取り込まれた空気が通風路を通り抜けることで、よりスムーズな空気の流れを創り出すことができる。
【００１９】
前記通風路が複数並設された場合には、通風体内に取り込まれた空気が複数の通風路を通り抜けることで、さらにスムーズな空気の流れを創り出すことができる。
【００２０】
また、開口部がメッシュ素材で覆われた場合には、開口部から流入する空気の勢いをやわらげると共に、肌が露出するのを防ぐことができる。
【００２１】
また、上記課題を解決するために、本発明の通風体が設けられた生地体を用いた衣類は、柔軟性を有し、１または複数の開口部が形成された基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体とを有する生地体を、構成部の全部または一部に備える。
【００２２】
ここで、柔軟性を有する基布と、柔軟性を有する通風体とによって、風を衣類内に取り込みやすくなり、衣類内の空気に流れが生じやすくなる。
【００２３】
また、１または複数の開口部が形成された基布によって、空気が開口部から出入りしやすくなるので、衣類内の空気の流れが妨げられにくくなる。
【００２４】
複数の互いに連通した通気口を有する通風体によって、一方の通気口から通風体内に取り込まれた空気を他方の通気口から放出することができる。
【００２５】
基布の一部であり開口部を含む領域を被覆するように取り付けられる通風体によって、一方の通気口から通風体内に取り込まれた空気を他方の通気口から放出するだけでなく、開口部からも放出することができるので、スムーズな空気の流れを創り出すことができる。
【００２６】
内部に中空部を形成する通風体によって、通風体内に空気を取り込みやすくなる。
【００２７】
中空部が開口部及び通気口と連通した通風体によって、一方の通気口から通風体の中空部に取り込まれた空気は開口部及び他方の通気口から放出されるので、更にスムーズな空気の流れを創り出すことができる。
【００２８】
柔軟性を有し、１または複数の開口部が形成された基布と、柔軟性を有し、複数の互いに連通した通気口を有し、基布の一部であり開口部を含む領域を被覆するように取り付けられて内部に中空部を形成すると共に、中空部は開口部及び通気口と連通した通風体とを有する生地体を、衣類の全部に備えることによって、周囲から流入する風を衣類内部に取り込むことができ、衣類内の空気の流れを創り出すことができる。
【００２９】
柔軟性を有し、１または複数の開口部が形成された基布と、柔軟性を有し、複数の互いに連通した通気口を有し、基布の一部であり開口部を含む領域を被覆するように取り付けられて内部に中空部を形成すると共に、中空部は開口部及び通気口と連通した通風体とを有する生地体を、衣類の一部に備えることによって、衣類の一部分からの空気の流入であっても、風を衣類内部に取り込むことができるので、充分に衣類内の空気の流れを創り出すことができる。
【００３０】
また、上記課題を解決するために、本発明の通風体が設けられた生地体を用いた衣類の製造方法は、柔軟性を有し、衣類を構成する基布に１または複数の開口部を設ける工程と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体を設ける工程とを備える。
【００３１】
ここで、柔軟性を有する基布と、柔軟性を有する通風体とによって、風を衣類内に取り込みやすくなり、衣類内の空気に流れが生じやすくなる。
【００３２】
また、衣類を構成する基布に１または複数の開口部を設ける工程によって、空気が開口部から出入りしやすくなるので、衣類内の空気の流れが妨げられにくくなる。
【００３３】
複数の互いに連通した通気口を有する通風体を設ける工程によって、一方の通気口から通風体内に取り込まれた空気を他方の通気口から放出することができる。
【００３４】
基布の一部であり開口部を含む領域を被覆するように取り付けられて内部に中空部を形成する通風体を設ける工程によって、通風体内に空気を取り込みやすくなる。
【００３５】
中空部が開口部及び通気口と連通した通風体を設ける工程によって、一方の通気口から通風体内に取り込まれた空気を他方の通気口から放出するだけでなく、開口部からも放出することができるので、スムーズな空気の流れを創り出すことができる。
【００３６】
また、上記課題を解決するために、本発明の通風体が設けられた生地体を用いた衣類の製造方法は、柔軟性を有し、１または複数の開口部が設けられた基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体とを有する生地体を形成する工程と、前記生地体を裁断する工程と、前記裁断された生地体を縫い合わせて衣類を形成する工程とを備える。
【００３７】
ここで、柔軟性を有する基布と、柔軟性を有する通風体とによって、風を衣類内に取り込みやすくなり、衣類内の空気に流れが生じやすくなる。
【００３８】
また、１または複数の開口部が設けられた基布と、複数の互いに連通した通気口を有し、基布の一部であり開口部を含む領域を被覆するように取り付けられて内部に中空部を形成すると共に、該中空部は同開口部及び前記通気口と連通した通風体とを有する生地体を形成する工程によって、風を衣類内に取り込みやすくなり、衣類内の空気に流れが生じやすくなる。
【００３９】
生地体を裁断し、裁断された生地体を縫い合わせる工程によって、様々なサイズやデザインの衣類を製造することができる。
【００４０】
また、上記課題を解決するために、本発明の通風体が設けられた生地体を用いた構造体は、柔軟性を有し、１または複数の開口部が形成された基布と、柔軟性を有し、複数の互いに連通した通気口を有し、前記基布の一部であり前記開口部を含む領域を被覆するように取り付けられて内部に中空部を形成すると共に、該中空部は同開口部及び前記通気口と連通した通風体とを有する生地体を、構成部の全部または一部に備える。
【００４１】
ここで、柔軟性を有する基布と、柔軟性を有する通風体とによって、風を構造体内に取り込みやすくなり、構造体内の空気に流れが生じやすくなる。
【００４２】
また、１または複数の開口部が形成された基布によって、空気が開口部から出入りしやすくなるので、構造体内の空気の流れが妨げられにくくなる。
【００４３】
複数の互いに連通した通気口を有する通風体によって、一方の通気口から通風体内に取り込まれた空気を他方の通気口から放出することができる。
【００４４】
基布の一部であり前記開口部を含む領域を被覆するように取り付けられる通風体によって、一方の通気口から通風体内に取り込まれた空気を他方の通気口から放出するだけでなく、開口部からも放出することができるので、スムーズな空気の流れを創り出すことができる。
【００４５】
内部に中空部を形成する通風体によって、通風体内に空気を取り込みやすくなる。
【００４６】
中空部が同開口部及び前記通気口と連通した通風体によって、一方の通気口から通風体の中空部に取り込まれた空気は開口部及び他方の通気口から放出されるので、更にスムーズな空気の流れを創り出すことができる。
【発明の効果】
【００４７】
本発明に係る生地体、この生地体を用いた衣類、その製造方法及びこの生地体を用いた構造体は、衣類に用いられる生地体を、換気をしやすい形状に形成することで、衣類の表面及び内部に空気の流れを生じさせ、かつ複数の布を重ね合わせて取り付けることで直射日光による肌へのダメージをやわらげることができる。
【図面の簡単な説明】
【００４８】
【図１】本発明の生地体の一実施の形態を示し、通風体を一部省略した平面視説明図である。
【図２】図１に示す生地体の一部を拡大した斜視説明図である。
【図３】図１に示す生地体の一部を拡大し、空気の流れを表した断面説明図である
【図４】本発明の衣類Ｃの第１の実施形態を示し、（ａ）は正面視説明図、（ｂ）は背面視説明図、（ｃ）は側面視説明図である。
【図５】本発明の衣類の第２の実施形態を示す断面説明図である。
【発明を実施するための形態】
【００４９】
以下、本発明の実施の形態について図１ないし図５を参照しながら説明し、本発明の理解に供する。
【００５０】
図１に示すように、本発明を適用した生地体Ａは、柔軟性を有する基布Ｂの表面上に複数の通風体1が設けられて形成されている。
【００５１】
通風体1は、柔軟性を有する布で形成されており、先端１０側に設けられた通気口１２、及び末端１１側に設けられた通気口１３を形成している先端縁の形状は略弧状の形状を有している。通風体１は末端１１側から先端１０側にかけて窄まっており、通風体１は全体として樋状に形成されている。基布Ｂの表面上に、通風体１はその長手方向に、通気口１２が設けられている部分の先端１０側を他の通風体１の末端１１側の通気口１３に一部を差し込んで伏せるようにして配置されている。
【００５２】
また、通風体１と隣り合う他の通風体１との間の、開口部１４を被覆しない位置にに縫製による取付部１６が設けられる。取付部１６を設けることで、通風体１が必ず開口部１４を覆う位置に設けられるので、通風体１内の空気を開口部１４へ確実に流入させることができる。
【００５３】
生地体Ａの作り方を具体的に述べると、図２に示すように、隣り合う開口部１４の間に取付部１６が設けられるよう、基布Ｂ上に設けられた開口部１４の列ごとにリボン状の布Ｒを縫い付ける。そして、一列目の開口部１４に対応し、布Ｒを基布Ｂに取り付けることにより作られた通風体１の先端１０を含む部分を覆うように、二列目の開口部１４に対応する他の布Ｒを同様に縫い付ける。これを繰り返すことで基布Ｂ全体に通風体１及び取付部１６が設けられる。
【００５４】
なお、通風体１は、必ずしも末端１１側から先端１０側にかけて窄まった形状を有している必要はない。通風体１の形状は適宜変更可能なものとし、例えば、先端１０と末端１１が同じ大きさとすることもできる。
【００５５】
また、通風体１内に一部を畳み込むことで、通風体１が風などで容易に潰れることがない構造としてもよい。また、通風体１を構成する布は、熱線反射素材や紫外線を妨げる効果のある素材の布を採用することもできる。
【００５６】
通風体１の先端１０側には内部の空気を排気可能な通気口１２が設けられており、末端１１側には、外部の空気が流入する通気口１３が設けられている。
【００５７】
通風体１は柔軟性を有する布で作られており、通気口１３が広く開口することができるので、風を取り込みやすい。
【００５８】
通気口は、必ずしも二つ設けられる必要はない。通気口の数は空気の通り抜けが可能なように複数設けられていればよく、例えば、三つ以上設けることもできる。また、複数の通気口が設けられる際の配置の方向は、上下、左右（横）、斜めのどの方向でもよいし、それらが混在していてもよい。
【００５９】
通風体１は基布Ｂの表面に立体的に設けられており、基布Ｂと通風体１の間には空気が通り抜けるのに充分な空間が形成されているので、通風体１の表面が日光で温められても着用者に熱が伝わりにくい。
【００６０】
基布Ｂと通風体１の間に形成された空間の大きさは特に限定するものではなく、適宜変更可能なものとする。
【００６１】
基布Ｂの、通風体１で覆われた部分には、基布Ｂに設けられた、任意の形状（本実施の形態では四角形状）の孔である開口部１４が設けられている。開口部１４は、メッシュ素材の布１５で覆われており、容易には衣類の内部が見えないようになっている。
【００６２】
開口部１４を覆う布地は、充分な通気が確保できるものであれば、メッシュ素材に限られるものではなく、例えば目の粗い綿や麻などの他の素材を用いても良く、または開口部１４を他の材料で覆わない構造とすることもできる。
【００６３】
図２に示すように、通風体１の先端１０は他の通風体１の末端１１内に差し込まれ、通風体１の先端１０は他の通風体１の末端１１内に差し込まれている。これを繰り返すことで、全体として列状の通風路２が形成される。
【００６４】
通風路２を形成する通風体の数は限定されるものではなく、適宜変更可能なものとする。
【００６５】
通風路２に平行して、通風路２と同様に形成された他の通風路２が設けられ、通風路２に平行して、更に他の通風路２が設けられている。これを繰り返すことで、全体として通風体１（通風路２）が基布Ｂ上に設けられた生地体Ａが形成される。
【００６６】
基布Ｂに設けられる通風路２の数は必ずしも限定されるものではなく、適宜変更可能なものとする。
【００６７】
＜生地体Ａを用いた衣類Ｃの製造方法＞
（衣類Ｃの前身頃部分の製造方法）
（１）図４（ａ）に示すように、衣類Ｃ（ポロシャツ）を構成している柔軟性のある基布Ｂに、一定の形状（本実施の形態では四角形状）に切欠かれた孔である、４列の開口部１４〜１４ｃを衣類Ｃの両前身頃に設ける。衣類Ｃの前身頃である基布Ｂ１には、各開口部１４〜１４ｃ覆うようにメッシュ素材の布１５を縫製などにより取り付ける。
【００６８】
（２）基布Ｂ１の下縁部近傍に整列して設けられた複数の開口部１４を覆うように、柔軟性のあるリボン状の布Ｒ１を、開口部１４を被覆しない位置に取付部１６が設けられるよう、基布Ｂ１に縫い付ける。取付部１６が設けられることにより、リボンＲ１は基布Ｂ１に確実に縫い付けられると共に、通風体１を必ず開口部１４を被覆する位置に設けることが出来る。このとき、通風体１の先端１０側が末端１１側よりも狭くまたは細くなるように縫い付けると共に、基布Ｂと通風体１の間には空気が通り抜けるのに充分な空間（符号略）が設けられるように立体的に縫い付けることで、通風体１が形成される。
【００６９】
（３）次に、（２）で述べたように、複数の開口部１４の列と略平行に設けられた開口部１４ａの列を覆うように、同様の柔軟性のあるリボン状の布Ｒ２を、開口部１４ａを被覆しない位置に取付部１６が設けられるよう、基布Ｂ１に縫い付ける。
【００７０】
（４）そして、同様に、複数の開口部１４ａの列と略平行に設けられた開口部１４ｂの列を覆うように、同様の柔軟性のあるリボン状の布Ｒ３を、開口部１４ｂを被覆しない位置に取付部１６が設けられるよう、基布Ｂ１に縫い付ける。このとき、リボン状の布Ｒ２により形成された、複数の通風体１ａの先端１０ａを、リボン状の布Ｒ３により形成された、複数の通風体１ｂの通気口１３ｂが設けられた部分で覆うように、あるいは先端１０ａが通気口１３ｂに差し込まれた状態となるように、リボン状の布Ｒ３を立体的に基布Ｂ１に縫い付ける。
【００７１】
（５）最後に、複数の開口部１４ｂの列と略平行に設けられた開口部１４ｃの列を覆うように、同様の柔軟性のあるリボン状の布Ｒ４を、開口部１４ｃを被覆しない位置に取付部１６が設けられるよう、基布Ｂ１に縫い付ける。このとき、リボン状の布Ｒ３により形成された、複数の通風体１ｂの先端１０ｂを、リボン状の布Ｒ４により形成された、複数の通風体１ｃの通気口１３ｃが設けられた部分で覆うように、あるいは先端１０ｂが通気口１３ｃに差し込まれた状態となるように、リボン状の布Ｒ４を立体的に基布Ｂ１に縫い付ける。このようにして、衣類Ｃの前身頃（符号略）が形成される。
【００７２】
（衣類Ｃの後身頃部分の製造方法）
（６）図４（ｂ）に示すように、衣類Ｃ（ポロシャツ）を構成している柔軟性のある基布Ｂ２に、一定の形状（本実施の形態では四角形状）に切欠かれた孔である、３列の開口部１４及び開口部１４ｄ〜ｅを衣類Ｃの後身頃に設ける。衣類Ｃの後身頃である基布Ｂ２には、各開口部１４及び開口部１４ｄ〜ｅを覆うようにメッシュ素材の布１５を縫製などにより取り付ける。
【００７３】
（７）衣類Ｃの前見頃部分と同様、基布Ｂ２の縁に整列して設けられた複数の開口部１４を覆うように、柔軟性のあるリボン状の布Ｒ１を、開口部１４を被覆しない位置に取付部１６が設けられるよう、基布Ｂ２に縫い付ける。
【００７４】
（８）次に、（７）で述べたように、複数の開口部１４の列と略平行に設けられた開口部１４ｄの列を覆うように、同様の柔軟性のあるリボン状の布Ｒ５を、開口部１４ｄを被覆しない位置に取付部１６が設けられるよう、基布Ｂ２に縫い付ける。
【００７５】
（９）そして、同様に、複数の開口部１４ｄの列と略平行に設けられた開口部１４ｅの列を覆うように、同様の柔軟性のあるリボン状の布Ｒ６を、開口部１４ｅを被覆しない位置に取付部１６が設けられるよう、基布Ｂ２に縫い付ける。このとき、リボン状の布Ｒ５により形成された、複数の通風体１ｄの先端１０ｄを、リボン状の布Ｒ６により形成された、複数の通風体１ｅの通気口１３ｅが設けられた部分で覆うように、あるいは先端１０ｄが通気口１３ｅに差し込まれた状態となるように、リボン状の布Ｒ６を立体的に基布Ｂ２に縫い付ける。
【００７６】
（衣類Ｃの両袖部分の製造方法）
（１０）図４（ｃ）に示すように、衣類Ｃ（ポロシャツ）を構成している柔軟性のある基布Ｂ３に、一定の形状（本実施の形態では四角形状）に切欠かれた孔である、両袖に一つずつ設けられた開口部１４ｆを衣類Ｃの両袖にそれぞれ設ける。衣類Ｃの両袖である基布Ｂ３には、各開口部１４ｆを覆うようにメッシュ素材の布１５を縫製などにより取り付ける。
【００７７】
（１１）衣類Ｃの前見頃部分及び後見頃部分と同様、基布Ｂ３の縁に設けられた開口部１４ｆを覆うように、柔軟性のあるリボン状の布Ｒ７を基布Ｂ３に縫い付けて、通風体１ｆが設けられる。
【００７８】
以上により、図４に示すような衣類Ｃが製造される。
【００７９】
なお、衣類Ｃの製造において、基布Ｂに通風体を形成する方法は、上記のように布Ｒ１、Ｒ２などを縫い付ける方法に限定されるものではなく、例えば四角形状の布を用意しておき、これらを個々に開口部を被覆するように基布に縫い付ける方法を採用してもよく、通風体を形成する布地の形状や縫い付け方は適宜選択することができる。
【００８０】
＜生地体を用いた衣類（図示せず）の製造方法＞
（１）衣類の生地となる、例えば四角形の基布に、一定の形状（本実施の形態では四角形状）に切欠かれた孔である開口部を縦横に整列させて、複数設ける。各開口部はメッシュ素材の布で覆う。
【００８１】
（２）衣類の生地に設けられた開口部を覆うように、リボン状の布を基布に縫い付けて、複数の通風体及び複数の取付部を形成することで、生地体が形成される。
（３）生地体を、衣類を構成する各部品の形状に裁断する。
（４）各部品を縫製して、衣類を製造する。
【００８２】
以下、図４ないし図５を参照しながら、本発明の衣類Ｃの作用および使用方法について説明する。
【００８３】
衣類Ｃを着用した使用者の周囲の空気は、使用者が動くことや風の流れによって、例えば、衣類Ｃの前身頃部分に設けられた通風体１の末端１１に設けられた通気口１３から通風体１内に流れ込む。
【００８４】
通風体１の末端１１から通風体１内に流れ込んだ空気の一部は、通風体１によって覆われた開口部１４から使用者の身体側へ流れ込み、衣類Ｃ内に空気の流れを生じさせるので、衣類Ｃ内の温度が上昇して使用者が不快に感じるのを防ぐことができる。
【００８５】
また、通風体１内に流れ込んだ空気の残りは、先端１０に設けられた通気口１２に向けて通風体１内を通過し、通気口１２から外部へ抜け出る。このように、通風体１内の空気は給気と排気が繰り返されるため、通風体１内の温度が上昇して着用者が不快に感じるのを防ぐことができる。
【００８６】
図４（ａ）に示すように、通風体１ａの末端１１ａの通気口１３ａから末端１１ａ付近の空気が流入し、通風体１ａ内に流れ込んだ空気の一部は、通風体１ａによって覆われた開口部１４ａから使用者の身体側へ流れ込む。また、通風体１ａ内に流れ込んだ空気の残りは、通風体１ａ内を通過し、先端１０ａに設けられた通気口１２ａから外部へ抜け出る。
【００８７】
また、通気口１２ａから排気された空気は、通風体１ａの先端１０ａを覆うように設けられた通風体１ｂの末端１１ｂに設けられた通気口１３ｂから通風体１ｂ内に流れ込む。通風体１ｂ内に流れ込んだ空気の一部は、通風体１ｂによって覆われた開口部１４ｂから使用者の身体側へ流れ込む。
【００８８】
このとき、末端１１ｂに設けられた通気口１３ｂからは、通風体１ｂ内に流れ込んだ空気の残りだけでなく、末端１１ｂの付近の空気も流入するので、通風体１ｂ内の空気は勢いを増して通風体１ｂ内を通過し、先端１０ｂに設けられた通気口１２ｂから外部へ排出される。
【００８９】
通気口１２ｂから排気された空気は、通風体１ｂの先端１０ｂを覆うように設けられた通風体１ｃの末端１１ｃに設けられた通気口１３ｃから通風体１ｃ内に流れ込む。通風体１ｃ内に流れ込んだ空気の一部は、通風体１ｃによって覆われた開口部１４ｃから使用者の身体側へ流れ込む。
【００９０】
このとき、末端１１ｃに設けられた通気口１３ｃからは、通風体１ｃ内に流れ込んだ空気の残りだけでなく、末端１１ｃの付近の空気も流入するので、通風体１ｃ内の空気は更に勢いを増して通風体１ｃ内を通過し、先端１０ｃに設けられた通気口１２ｃから外部へ排出される。
【００９１】
このように、通風体１、通風体１ａ、通風体１ｂ及び通風体１ｃは、通気口１３から通気口１２に向けて空気が流れる方向に整列して配置されて通風路２〜２ｅを形成しているので、通風体１の通気口１３に流れ込んだ空気は、通風体１ａ、通風体１ｂ及び通風体１ｃ内を迅速に通り抜けるため、衣類Ｃの内部や表面が体温や日光で温められることで使用者が不快に感じるのを防ぐことができる。
【００９２】
また、衣類Ｃの前身頃部分には通風路２だけでなく、通風路２ａ、通風路２ｂ、通風路２ｃ、通風路２ｄ及び通風路２ｅが設けられているので、衣類Ｃの前身頃部分の全面において迅速な空気の流れが生じ、衣類Ｃの表面及び内部の温度の上昇を防ぐことができる。
【００９３】
また、各通風路内の空気は体温と日光で温められ上昇するので、更に通風路内の空気の流れが強められる。
【００９４】
前身頃部分で生じた空気の流れは、衣類Ｃの後見頃部分でも同様に生じる。
以下、図４（ｂ）を用いて、衣類Ｃの後身頃部分の表面及び内部の空気の動きを詳細に説明する。
【００９５】
衣類Ｃの後見頃付近の空気は、通風体１ｄの末端１１ｄに設けられた通気口１３ｄから通風体１ｄ内に流れ込む。通風体１ｄ内に流れ込んだ空気の一部は、通風体１ｄによって覆われた開口部１４ｄから使用者の身体側へ流れ込む。通風体１ｄ内に流れ込んだ空気の残りは、通風体１ｄ内を通過し、先端１０ｄに設けられた通気口１２ｄから外部へ排出される。
【００９６】
通気口１２ｄから排気された空気は、通風体１ｄの先端１０ｄを覆うように設けられた通風体１ｅの末端１１ｅに設けられた通気口１３ｅから通風体１ｅ内に流れ込む。通風体１ｅ内に流れ込んだ空気の一部は、通風体１ｅによって覆われた開口部１４ｅから使用者の身体側へ流れ込む。通風体１ｅ内に流れ込んだ空気の残りは、通風体１ｅ内を通過し、先端１０ｅに設けられた通気口１２ｅから外部へ排出される。
【００９７】
このように、通風体１ｄ及び通風体１ｅは連接して設けられ通風路２ｆを形成しているので、通風体１ｄに流れ込んだ空気は、通風体１ｅ内を迅速に通り抜けるため、衣類Ｃが体温や日光で温められることで使用者が不快に感じるのを防ぐことができる。
【００９８】
また、衣類Ｃの後身頃部分には通風路２ｆだけでなく、通風路２ｇ〜２ｋが設けられているので、衣類Ｃの後身頃部分の全面において迅速な空気の流れが生じ、衣類Ｃの表面及び内部の温度の上昇を防ぐことができる。
【００９９】
前身頃部分及び後見頃部分で生じた空気の流れは、衣類Ｃの両袖部分でも同様に生じる。
以下、図４（ｃ）を用いて、衣類Ｃの両袖部分の表面及び内部の空気の動きを詳細に説明する。
【０１００】
衣類Ｃの両袖付近の空気は、通風体１ｆの末端１１ｆに設けられた通気口１３ｆから通風体１ｆ内に流れ込む。通風体１ｆ内に流れ込んだ空気の一部は、通風体１ｆによって覆われた開口部１４ｆから使用者の身体側へ流れ込む。通風体１ｆ内に流れ込んだ空気の残りは、通風体１ｆ内を通過し、先端１０ｆに設けられた通気口１２ｆから外部へ排出される。
【０１０１】
この様に、前身頃部分、後見頃部分及び袖部分において、衣類Ｃの表面及び内部の空気の流れが生じるので、衣類Ｃが温められることで使用者が不快に感じることを防ぐことが出来る。
【０１０２】
また、開口部１４が複数設けられていることで衣類Ｃの内部にも空気が流入しやすいので、使用者の汗を迅速に乾かすことができ、使用者は発汗による、不快なべたつきなどを感じにくくなる。
【０１０３】
また、衣類Ｃは、基布Ｂに通風体１が被さっており、外側の通風体で直射日光を遮り、基布の内部側まで紫外線を透過させにくいので、日焼けを防ぎやすくなる。
【０１０４】
図５に示すように、通風体が前身頃から後見頃部分にわたって、肩口で途切れることなく連続して設けられた衣類Ｄを着用した場合には、前身頃側の通風体１ｇ内に流入した空気が、通風体１ｈ、１ｉ、１ｊ、１ｋ、１?、１ｍ、１ｎを順に通り抜け、最終的に後見頃側の通風体１оから排気されるので、使用者はより快適に感じることができる。
【０１０５】
また、前身頃と後見頃の縫い合わせ部分が通風体によって覆われるので、デザイン性も向上すると共に、着用者の肩部分への日光の熱の伝わりをやわらげることが出来る。さらに、雨天時に肩口から雨がしみこむことを防ぐことができるので、雨具に用いることができる。
【０１０６】
また、本発明に係る構造体は、充分な通気性を保ちまたは直射日光を防ぐ目的で、例えばテント、日除け、日傘または帽子の襟足を保護する布地部分などに用いることもできる。
【符号の説明】
【０１０７】
Ａ  生地体
Ｂ  基布
Ｃ  衣類
Ｄ  衣類
Ｒ１〜７  リボン状の布
１〜１ｆ  通風体
１０〜１０ｆ  先端
１１〜１１ｆ  末端
１２〜１２ｆ  通気口
１３〜１３ｆ  通気口
１４〜１４ｆ  開口部
１５  メッシュ素材の布
１６  取付部
２〜２ｏ  通風路
【図１】
0006602564.tif 000002
【図２】
0006602564.tif 000003
【図３】
0006602564.tif 000004
【図４】
0006602564.tif 000005
【図５】
0006602564.tif 000006